(57)【要約】      （修正有）【課題】伴侶動物健康診断キットを備えたスマート排便板を提供する。【解決手段】中央が凹んでいる形態に形成される本体１０と、前記本体の上部に結合され、内側にグリッド形態の排便孔２１が形成された上板２０と、防水パッド及び前記防水パッドに付着され、前記排便孔を通して流入する流体を吸収する吸収パッドを含み、前記本体と上板の間に配置されるパッド部と、前記パッド部の上部に配置される健康診断キットとを含んでなる。パッド部の上部に健康診断キットを備えることで、パッド部に流入する流体を介して伴侶動物の健康状態を診断することができ、伴侶動物の排便活動時に上板の重さ変化によって伴侶動物の重さを測定するので、正確な重さを測定することができ、測定された重さによって伴侶動物の肥満度をチェックすることができる効果がある。【選択図】図２ａ
0003222249.tif 000002
【実用新案登録請求の範囲】
【請求項１】
中央が凹んでいる形態に形成された本体（１０）と、
前記本体（１０）の上部に結合され、内側にグリッド形態の排便孔（２１）が形成された上板（２０）と、
防水パッド（３１）及び前記防水パッド（３１）に付着され、前記排便孔（２１）を通して流入する流体を吸収する吸収パッド（３２）を含み、前記本体（１０）と上板（２０）の間に配置されるパッド部（３０）と、および、
前記パッド部（３０）の上部に配置される健康診断キット（４０）と、
を含んでなることを特徴とする、伴侶動物健康診断キットを備えたスマート排便板。
【請求項２】
前記吸収パッド（３２）は複数からなり、前記防水パッド（３１）の上部に付着され、前記吸収パッド（３２）が付着されていない部分が前記排便孔（２１）を通過した流体を前記パッド部（３０）の中央にガイドするように構成されることを特徴とする、請求項１に記載の伴侶動物健康診断キットを備えたスマート排便板。
【請求項３】
前記健康診断キット（４０）は、流体を吸収する吸収部（４１）、前記吸収部（４１）を通して吸収された流体をガイドするガイド部（４２）及び前記ガイド部（４２）によってガイドされた流体の抗原抗体反応によって疾病の有無を診断して疾病情報を生成する診断部（４３）を含むことを特徴とする、請求項１に記載の伴侶動物健康診断キットを備えたスマート排便板。
【請求項４】
前記健康診断キット（４０）は、前記診断部（４３）で診断された疾病情報を送信する診断結果表示部材（４４ａ）及び電源を供給する電源供給部材（４４ｂ）を備えた制御部（４４）をさらに含むことを特徴とする、請求項３に記載の伴侶動物健康診断キットを備えたスマート排便板。
【請求項５】
前記本体（１０）は、前記上板（２０）の重さ変化を感知して伴侶動物の重さ情報を測定するロードセル（５０）を備えることを特徴とする、請求項４に記載の伴侶動物健康診断キットを備えたスマート排便板。
【請求項６】
前記制御部（４４）は、前記診断部（４３）で診断された疾病情報及び前記ロードセル（５０）で測定された伴侶動物の重さ情報の少なくとも一つの情報を送信するモジュール通信部材（４４ｃ）をさらに含むことを特徴とする、請求項５に記載の伴侶動物健康診断キットを備えたスマート排便板。
【請求項７】
前記モジュール通信部材（４４ｃ）から疾病情報及び重さ情報の少なくとも一つの情報を受信する中央通信部材（６１）と、
標準伴侶動物情報が記憶される記憶部材（６２）と、
前記中央通信部材（６１）を介して疾病情報が受信される場合、前記疾病情報と前記記憶部材（６２）に記憶された標準伴侶動物情報を比較して処方情報を生成し、前記中央通信部材（６１）を介して重さ情報が受信される場合、受信された重さ情報と前記記憶部材（６２）に記憶された標準伴侶動物情報を比較して肥満度情報を生成する処理部材（６３）とを含む中央サーバー（６０）をさらに含み、
前記中央通信部材（６１）は、前記処理部材（６３）で生成された処方情報及び肥満度情報の少なくとも一つの情報を送信することを特徴とする、請求項６に記載の伴侶動物健康診断キットを備えたスマート排便板。
【請求項８】
前記本体（１０）は、前記本体（１０）の中央から上方に突出する係合突起（１１）を含み、
前記パッド部（３０）は、前記パッド部（３０）の下面中央に備えられ、前記係合突起（１１）に係合される係合溝（３３）を含むことを特徴とする、請求項１に記載の伴侶動物健康診断キットを備えたスマート排便板。
【請求項９】
前記パッド部（３０）は、前記健康診断キット（４０）を固定させる固定バンド（３１ａ）を含むことを特徴とする、請求項１に記載の伴侶動物健康診断キットを備えたスマート排便板。
【考案の詳細な説明】
【技術分野】
【０００１】
本考案は伴侶動物健康診断キットを備えたスマート排便板に関する。
【０００２】
より詳しくは、パッド部の上部に健康診断キットを備えることで、パッド部に流入する流体を介して伴侶動物の健康状態を診断することができる伴侶動物健康診断キットを備えたスマート排便板に関する。
【背景技術】
【０００３】
近年になって、徐々に人間と伴侶動物の関係が単純な主従関係ではなくて、友達、友人、同伴者のような関係に再定立されている。伴侶動物は従前のように趣味や楽しさで育てるものではなく、人生の伴侶者又は家族と思って一緒に生を営もうとする人が増えている趨勢である。特に、愛玩犬の場合には、他の動物より高い知能及び適応力を持っているから、室内で人間と一緒に居住しながら生活する事例が増えている。
【０００４】
このような理由で伴侶動物に関連した産業が発達するに従い、元気な伴侶動物と長い間に幸せな生を営むために伴侶動物の健康管理に対する関心も段々高くなっている。
【０００５】
既存には、伴侶動物の健康を診断するためには、伴侶動物と一緒に動物病院を訪問するとか、自己診断キットを用いて各家庭で自己診断を実施した。
【０００６】
しかし、伴侶動物と一緒に動物病院を訪問して健康検診を受ける場合には、毎度動物病院を訪問しなければならない煩わしさとともに高い健康検診費用が負担となる問題があり、自己診断キットを用いて家庭で自己診断を行う場合には、大部分の自己診断キットが血液を介して健康を診断するキットであるから、使用が煩わしいという問題があった。
【０００７】
このような問題点を解決するための技術の一つとして、韓国登録特許第１０−１５８２７３２号には伴侶動物健康ケア機器が開示されている。
【０００８】
図１ａ及び図１ｂは従来の伴侶動物健康ケア機器を示す図である。添付図面の図１ａ及び図１ｂを参照して従来の伴侶動物健康ケア機器を説明すると、伴侶動物の首綱として使用する場合には、散歩距離によるカロリー消費量を確認することができ、簡便な方法で伴侶動物の体重を測定して健康状態を測定することができることを特徴としている。
【０００９】
前記従来の伴侶動物健康ケア機器を具体的に説明すると、一端の幅が他端の幅より大きい第１取っ手部１、一端の幅が他端の幅より大きくて、前記第１取っ手部１の他端に結合される第２取っ手部２、前記第１取っ手部１の他端と前記第２取っ手部２の他端を着脱させる着脱部材、前記第１取っ手部１と着脱部材３と第２取っ手部２によって形成される内部空間に保存され、両側端は前記第１取っ手部１と第２取っ手部２の内部にそれぞれ固定される重さ測定用ベルト４、前記第１取っ手部１又は前記第２取っ手部２の一端に備えられ、伴侶動物用首綱が装着される首綱孔５、前記第１取っ手部１と第２取っ手部２の内部に備えられ、前記重さ測定用ベルト４に加わる引張応力を測定する重さ測定センサー、及び前記第１取っ手部１と第２取っ手部２の一側面に形成される滑り防止パッド６からなり、前記首綱孔５を通して首綱を引き出して散歩するか、前記第１取っ手部１と第２取っ手部２を把持した状態で前記重さ測定用ベルト４で伴侶動物を包んで上げて重さを測定するものである。
【００１０】
しかし、前記従来技術は、重さ測定用ベルト４を用いて伴侶動物を包んで上げるときに伴侶動物が身悶える場合には伴侶動物を持ち上げにくいという問題があり、たとえ伴侶動物を重さ測定用ベルト４で持ち上げたと言っても伴侶動物が動いている状態では正確な重さを測定しにくいという問題がある。
【００１１】
また、前記従来技術は、単に伴侶動物の重さのみを測定するものであるから、伴侶動物の種類、例えば愛玩犬の場合には犬種による重さを見積もりにくくて伴侶動物の健康を自己診断しにくいという問題がある。
【先行技術文献】
【特許文献】
【００１２】
【特許文献１】韓国登録特許第１０−１５８２７３２号公報
【特許文献２】韓国公開特許第１０−２０１５−０１１５０２８号公報
【特許文献３】韓国公開特許第１０−２０１６−００３６８０１号公報
【特許文献４】韓国公開特許第１０−２００３−００３２０８８号公報
【考案の概要】
【考案が解決しようとする課題】
【００１３】
本考案は前記のような課題を解決するために案出されたもので、本考案で解決しようとする課題は、パッド部の上部に健康診断キットを備えることで、パッド部に流入する流体を介して伴侶動物の健康状態を診断することができる伴侶動物健康診断キットを備えたスマート排便板を提供することにある。
【００１４】
また、本考案で解決しようとする他の課題は、上板の重さ変化を感知して伴侶動物の重さ情報を測定することによって伴侶動物の肥満度を点検することができる伴侶動物健康診断キットを備えたスマート排便板を提供することにある。
【課題を解決するための手段】
【００１５】
前記のような課題を解決するための本考案の一実施例による伴侶動物健康診断キットを備えたスマート排便板は、中央が凹んでいる形態に形成される本体と、前記本体の上部に結合され、内側にグリッド形態の排便孔が形成された上板と、防水パッド及び前記防水パッドに付着され、前記排便孔を通して流入する流体を吸収する吸収パッドを含み、前記本体と上板の間に配置されるパッド部と、前記パッド部の上部に配置される健康診断キットと、含んでなることを特徴とする。
【００１６】
また、前記吸収パッドは複数からなり、前記防水パッドの上部に付着され、前記吸収パッドが付着されていない部分が前記排便孔を通過した流体を前記パッド部の中央にガイドするように構成されることを特徴とする。
【００１７】
また、前記健康診断キットは、流体を吸収する吸収部、前記吸収部を通して吸収された流体をガイドするガイド部及び前記ガイド部によってガイドされた流体の抗原抗体反応によって疾病の有無を診断して疾病情報を生成する診断部を含むことを特徴とする。
【００１８】
また、前記健康診断キットは、前記診断部で診断された疾病情報を送信する診断結果表示部材及び電源を供給する電源供給部材を備えた制御部をさらに含むことを特徴とする。
【００１９】
また、前記本体は、前記上板の重さ変化を感知して伴侶動物の重さ情報を測定するロードセルを備えることを特徴とする。
【００２０】
また、前記制御部は、前記診断部で診断された疾病情報及び前記ロードセルで測定された伴侶動物の重さ情報の少なくとも一つの情報を送信するモジュール通信部材をさらに含むことを特徴とする。
【００２１】
また、前記モジュール通信部材から疾病情報及び重さ情報の少なくとも一つの情報を受信する中央通信部材と、標準伴侶動物情報が記憶される記憶部材と、前記中央通信部材を介して疾病情報が受信される場合、前記疾病情報と前記記憶部材に記憶された標準伴侶動物情報を比較して処方情報を生成し、前記中央通信部材を介して重さ情報が受信される場合、受信された重さ情報と前記記憶部材に記憶された標準伴侶動物情報を比較して肥満度情報を生成する処理部材とを含む中央サーバーをさらに含み、前記中央通信部材は、前記処理部材で生成された処方情報及び肥満度情報の少なくとも一つの情報を送信することを特徴とする。
【００２２】
また、前記本体は、前記本体の中央から上方に突出する係合突起を含み、前記パッド部は、前記パッド部の下面中央に備えられ、前記係合突起に係合される係合溝を含むことを特徴とする。
【００２３】
また、前記パッド部は、前記健康診断キットを固定させる固定バンドを含むことを特徴とする。
【考案の効果】
【００２４】
本考案の一実施例による伴侶動物健康診断キットを備えたスマート排便板によれば、パッド部の上部に健康診断キットを備えることで、パッド部に流入する流体を介して伴侶動物の健康状態を診断することができる効果がある。
【００２５】
また、本考案によれば、伴侶動物の排便活動時に上板の重さ変化によって伴侶動物の重さを測定するので、正確な重さを測定することができ、測定された重さによって伴侶動物の肥満度をチェックすることができる効果がある。
【００２６】
また、本考案によれば、健康診断キットを介して診断される伴侶動物の疾病情報、処方情報及び肥満度情報の少なくとも一つの情報を使用者端末で容易に確認することができる効果がある。
【図面の簡単な説明】
【００２７】
【図１ａ】従来の伴侶動物健康ケア機器を示す図である。
【図１ｂ】従来の伴侶動物健康ケア機器を示す図である。
【図２ａ】本考案による伴侶動物健康診断キットを備えたスマート排便板を示す図である。
【図２ｂ】本考案による伴侶動物健康診断キットを備えたスマート排便板を示す図である。
【図３】本考案による伴侶動物健康診断キットを備えたスマート排便板の健康診断キットを示す図である。
【図４】本考案による伴侶動物健康診断キットを備えたスマート排便板の制御部を示す図である。
【図５ａ】本考案による伴侶動物健康診断キットを備えたスマート排便板の実施状態を示す図である。
【図５ｂ】本考案による伴侶動物健康診断キットを備えたスマート排便板の実施状態を示す図である。
【図５ｃ】本考案による伴侶動物健康診断キットを備えたスマート排便板の実施状態を示す図である。
【図５ｄ】本考案による伴侶動物健康診断キットを備えたスマート排便板の実施状態を示す図である。
【図６】本考案による伴侶動物健康診断キットを備えたスマート排便板の中央サーバーを示す図である。
【図７】本考案による伴侶動物健康診断キットを備えたスマート排便板の係合突起及び係合溝を示す図である。
【図８】本考案による伴侶動物健康診断キットを備えたスマート排便板の固定バンドを示す図である。
【考案を実施するための形態】
【００２８】
本考案は多様な変更を加えることができ、さまざまな実施例を有することができるものであり、特定の実施例を図面に基づいて詳細に説明する。しかし、これは本考案を特定の実施形態に限定しようとするものではなく、本考案の思想及び技術範囲に含まれる全ての変更、均等物又は代替物を含むものと理解しなければならない。
【００２９】
ある構成要素が他の構成要素に“連結されている”とか“接続されている”と言及したときには、その他の構成要素に直接的に連結されているかあるいは接続されていることもあるが、中間にさらに他の構成要素が存在することもあると理解しなければならないであろう。
【００３０】
一方、ある構成要素が他の構成要素に“直接連結されている”とか“直接接続されている”と言及したときには、中間にさらに他の構成要素が存在しないと理解しなければならないであろう。
【００３１】
本明細書で使われる用語はただ特定の実施例を説明するために使用したもので、本考案を限定しようとする意図ではない。単数の表現は文脈上で明白に他に指示しない限り、複数の表現を含む。本出願で、“含む”又は“有する”などの用語は明細書上に記載した特徴、数字、工程、動作、構成要素、部品又はこれらの組合せが存在することを指示しようとするものであり、一つ又はそれ以上の他の特徴、数字、工程、動作、構成要素、部品又はこれらの組合せなどの存在又は付加の可能性を予め排除しないものと理解しなければならない。
【００３２】
他に定義しない限り、技術的又は科学的な用語を含めてここで使う全ての用語は本考案が属する技術分野で通常の知識を有する者によって一般的に理解されるものと同じ意味がある。一般的に使われる辞書に定義されているような用語は関連技術の文脈上で有する意味と一致する意味があるものと解釈しなければならなく、本出願で明らかに定義しない限り、理想的な又は過度に形式的な意味に解釈されてはいけない。
【００３３】
以下、添付図面に基づいて本考案をより詳細に説明する。詳細な説明に先立ち、本明細書及び請求の範囲に使用された用語や単語は通常的又は辞書的な意味に限定して解釈されてはいけなく、考案者は自分の考案を最良の方法で説明するために用語の概念を適切に定義することができるという原則に従って、本考案の技術的思想に合う意味及び概念に解釈されなければならない。また、ここで使う技術用語及び科学用語において他の定義がなければ、この考案が属する技術分野で通常の知識を有する者が通常的に理解している意味を有し、下記の説明及び添付図面において本考案の要旨を不必要にあいまいにすることができる公知の機能及び構成についての説明は省略する。次に提示する図面は当業者に本考案の思想を充分に伝達するために例として提供するものである。したがって、本考案は以下で提示する図面に限定されず、他の形態に具体化されることもできる。また、明細書全般にわたって同じ参照番号は同じ構成要素を示す。図面において同じ構成要素はどの図でもできるだけ同じ符号で示していることに留意しなければならない。
【００３４】
本考案はパッド部の上部に健康診断キットを備えることで、パッド部に流入する流体を介して伴侶動物の健康状態を診断することができる伴侶動物健康診断キットを備えたスマート排便板に関するものである。
【００３５】
以下、添付図面を参照して本考案による伴侶動物健康診断キットを備えたスマート排便板について詳細に説明する。
【００３６】
図２ａ及び図２ｂは本考案による伴侶動物健康診断キットを備えたスマート排便板を示す図である。
【００３７】
添付図面の図２ａ及び図２ｂによれば、本考案の伴侶動物健康診断キットを備えたスマート排便板は、中央が凹んでいる形態に形成される本体１０、前記本体１０の上部に結合され、内側にグリッド形態の排便孔２１が形成された上板２０、前記本体１０と上板２０の間に配置される防水パッド３１と前記防水パッド３１に付着され、前記排便孔２１を通して流入する流体を吸収する吸収パッド３２を含むパッド部３０、及び前記パッド部３０の上部に配置される健康診断キット４０からなる。
【００３８】
ここで、前記上板２０は前記本体１０の外縁に沿って形成された結合溝に挿合される構成であり、前記パッド部３０は、前記本体１０と上板２０の間に配置される場合、前記本体１０の中央の凹んでいる形態に沿って中央が凹むように押された状態で固定されることができる。
【００３９】
本考案では前記上板２０の排便孔２１が複数の円形孔を含むものとして示しているが、実施例によって、前記円形孔は多角形孔にも変形可能であり、一般的な排便板の形態にも変形可能である。
【００４０】
前記パッド部３０の吸収パッド３２は複数からなって前記防水パッド３１の上部に付着され、前記吸収パッド３２が付着されなかった部分が前記排便孔２１を通過した流体を前記パッド部３０の中央部にガイドするように付着されることができる。
【００４１】
すなわち、前記吸収パッド３２は複数からなって前記防水パッド３１の上面一部に付着され、前記上板２０の排便孔２１を通過した流体が前記本体１０の中央の凹んでいる形態に従って中央が凹むように押されて配置されるパッド部３０の中央部に流れるように前記吸収パッド３２の付着されていない部分がガイド形態に互いに連結されるように付着されるものである。
【００４２】
これにより、前記上板２０で伴侶動物が小便をする場合、前記小便は前記上板２０の排便孔２１を通過して前記パッド部３０に移動し、前記パッド部３０に移動した小便の一部は前記パッド部３０の吸収パッド３２に吸収され、前記吸収パッド３２に吸収されなかった小便の他の一部は前記パッド部３０の防水パッド３１に沿って前記パッド部３０の上面中央部に配置された前記健康診断キット４０に流れるようになる。
【００４３】
このようなパッド部３０の防水パッド３１はポリエチレンフィルムなどの防水特性を有する樹脂からなることができ、前記パッド部３０の吸収パッド３２は、不織布素材の表面層とパルプティッシュペーパ、天然パルプ及び高分子吸収体の少なくとも一つ以上の組合せからなる吸収層からなって付着されるか、シリカゲルパウダー、紙又は綿素材からなることができる。
【００４４】
また、前記本体１０は、前記上板２０の重さ変化を感知して伴侶動物の重さ情報を測定するロードセル５０を備えることができる。
【００４５】
前記ロードセル５０は前記上板２０に上がって立つ伴侶動物の重さ情報を測定するもので、前記上板２０の重さ変化を繰り返し測定して前記伴侶動物の平均重さを測定し、測定された平均重さを重さ情報として生成するものである。
【００４６】
また、前記ロードセル５０は、前記上板２０に上がって立つ伴侶動物が大小便をした後に前記上板２０から降りる場合、前記伴侶動物の大小便が前記上板２０及びパッド部３０に残ることによって前記伴侶動物の大小便量を測定することができる。
【００４７】
図３は本考案による伴侶動物健康診断キットを備えたスマート排便板の健康診断キットを示す図、図４は本考案による伴侶動物健康診断キットを備えたスマート排便板の制御部を示す図である。
【００４８】
添付図面の図３及び図４によれば、本考案の健康診断キット４０は、流体を吸収する吸収部４１、前記吸収部４１を介して吸収された流体をガイドするガイド部４２及び前記ガイド部４２を介してガイドされた流体の抗原抗体反応による疾病の有無を診断して疾病情報を生成する診断部４３を含み、前記健康診断キット４０のハウジングはポリジメチルシロキサン（ＰＤＭＳ、Ｐｏｌｙｄｉｍｅｔｈｙｌｓｉｌｏｘａｎｅ）から成形されることができる。
【００４９】
前記健康診断キット４０は、前記パッド部３０が前記本体１０の中央が凹んでいる形態によって中央が凹むように固定されることによって前記パッド部３０の防水パッド３１に沿って流れる流体を用いて伴侶動物の健康を診断するものであり、前記健康診断キット４０の下部に接着部が形成されて前記パッド部３０の上部に付着されるように構成されることができる。
【００５０】
前記吸収部４１は０．５ｍｍ以下の毛細管の形態で前記健康診断キット４０の下部に露出され、前記防水パッド３１に沿って流れる流体を吸収する構成であり、前記健康診断キット４０が前記パッド部３０の上部に配置された状態で前記パッド部３０の防水パッド３１に沿って流れる流体が一定時間溜まれば前記吸収部４１の毛細管現象によって吸収するものである。
【００５１】
すなわち、伴侶動物の小便の一部は前記健康診断キット４０の吸収部４１に吸収され、前記伴侶動物の小便の他の一部は前記パッド部３０の吸収パッド３２に吸収される。
【００５２】
前記診断部４３は、前記吸収部４１を介して吸収され、前記ガイド部４２によってガイドされた流体の抗原抗体反応を用いて、抗体結合接合体バンド４３ａ、検査線バンド４３ｂ及び対照線バンド４３ｃの陽性及び陰性反応の有無によって疾病を診断することができ、診断された疾病についての疾病情報を生成することができる。
【００５３】
前記診断部４３はそれぞれ違う反応を示す複数のバンドを備えているので、それぞれ違う疾病の有無を診断することができ、例えばパルボウィルス、膵膓炎及びインフルエンザによる疾病の有無を診断することができる。
【００５４】
ここで、前記抗体結合接合体バンド４３ａはゴールドナノ粒子と抗体が結合されるものであり、前記ゴールドナノ粒子はゴールドの粒子サイズがナノメートルサイズのもので、１〜９ｎｍ程度のサイズの粒子を言うものであり、前記抗体結合接合体バンド４３ａは伴侶動物の小便に含まれた抗原が前記ゴールドナノ粒子結合抗体と反応すれば特定の色相を帯びることによって疾病の有無を診断するものである。
【００５５】
また、対照線バンド４３ｃは前記伴侶動物の小便とともにゴールドナノ粒子結合抗体が前記検査線バンド４３ｂを確かに通過したかをチェックすることができるように特定の色相を帯びるもので、疾病の診断が正しく行われたかを判断するものである。
【００５６】
また、前記診断部４３は、前記ロードセル５０で測定される伴侶動物の大小便の量を用いて伴侶動物の健康状態を判断することができる。
【００５７】
前記健康診断キット４０は制御部４４をさらに含み、前記制御部４４は前記診断部４３で診断された疾病情報を送信する診断結果表示部材４４ａ、電源を供給する電源供給部材４４ｂ及び前記診断部４３で診断された疾病情報と前記ロードセル５０で測定された伴侶動物の重さ情報と伴侶動物の大小便量の情報の少なくとも一つの情報を送信するモジュール通信部材４４ｃを含むことができる。
【００５８】
前記診断結果表示部材４４ａは、使用者が前記パッド部３０の入れ替えのために前記上板２０を前記本体１０から分離させた場合、伴侶動物の疾病の有無を確認することができるようにする構成である。例えば、前記診断結果表示部材４４ａは、文字又はＬＥＤで伴侶動物の疾病の有無を表示することができる。
【００５９】
前記モジュール通信部材４４ｃは、例えば予め登録された使用者の携帯電話端末機（図示せず）に伴侶動物の疾病情報、伴侶動物の重さ情報及び伴侶動物の大小便量情報の少なくとも一つの情報を送信する構成であり、ブルートゥース（登録商標）又はＷｉｆｉ（登録商標）などの通信網を用いることができる。
【００６０】
図５ａ〜図５ｄは本考案による伴侶動物健康診断キットを備えたスマート排便板の実施状態を示す図である。
【００６１】
添付図面の図５ａ〜図５ｄによれば、図５ａは伴侶動物が本考案の上板２０に小便をした状態を示し、図５ｂは前記上板２０の小便が前記上板２０の排便孔２１を通過してパッド部３０に移動した状態を示し、図５ｃは前記パッド部３０に移動した小便の一部は前記パッド部３０の吸収パッド３２に吸収され、移動した小便の他の一部は前記パッド部３０の防水パッド３１に吸収されなかった状態を示し、図５ｄは前記防水パッド３１に吸収されなかった小便が前記本体１０の中央の凹んでいる形態に従って中央が凹むように固定されるパッド部３０の防水パッド３１に沿って前記パッド部３０の中央に移動して前記健康診断キット４０と接触した状態を示している。
【００６２】
本考案によれば、図５ａ〜図５ｄの過程を経て前記健康診断キット４０に移動した伴侶動物の小便は前記健康診断キット４０の診断部４３によって診断することができ、前記診断部４３は前記小便の診断結果を用いて疾病情報を生成することができる。
【００６３】
図６は本考案による伴侶動物健康診断キットを備えたスマート排便板の中央サーバーを示す図である。
【００６４】
添付図面の図６によれば、本考案の伴侶動物健康診断キットを備えたスマート排便板は、中央通信部材６１、記憶部材６２及び処理部材６３を備えた中央サーバー６０をさらに含むことができる。
【００６５】
前記中央通信部材６１は、前記制御部４４のモジュール通信部材４４ｃから疾病情報、重さ情報、大小便量情報の少なくとも一つの情報を受信することができる。
【００６６】
前記記憶部材６２は、標準伴侶動物情報と使用者による伴侶動物ヒストリー情報を記憶することができる。
【００６７】
前記処理部材６３は、前記中央通信部材６１を介して疾病情報が受信される場合、前記疾病情報と前記記憶部材６２に記憶された標準伴侶動物情報を比較して処方情報を生成し、前記中央通信部材６１を介して重さ情報が受信される場合、受信された重さ情報と前記記憶部材６２に記憶された標準伴侶動物情報を比較して肥満度情報を生成することができる。
【００６８】
ここで、前記中央通信部材６１は、前記処理部材６３で生成された処方情報、肥満度情報及び大小便量情報の少なくとも一つの情報を送信するようになる。前記中央通信部材６１から送信される処方情報、肥満度情報及び大小便量情報の少なくとも一つの情報は予め登録された使用者の携帯電話端末機に伝送されることができる。
【００６９】
すなわち、前記中央サーバー６０は、使用者別に登録された伴侶動物の疾病情報、重さ情報及び大小便量情報を管理し、前記疾病情報、重さ情報及び大小便量情報による処方情報及び肥満度情報を使用者に提供することにより、前記使用者は病院に訪問しなくても伴侶動物の疾病情報、重さ情報、大小便量情報、前記疾病情報による処方情報及び前記重さ情報による肥満度情報をチェックすることができるようになる。
【００７０】
図７は本考案による伴侶動物健康診断キットを備えたスマート排便板の係合突起及び係合溝を示す図である。
【００７１】
添付図面の図７によれば、本考案の本体１０には前記本体１０の中央から上方に突出する係合突起１１が形成され、本考案のパッド部３０には前記パッド部３０の下面中央に備えられて前記係合突起１１に係合される係合溝３３が形成されることができる。
【００７２】
すなわち、本考案の排便板は前記パッド部３０の係合溝３３に前記本体１０の係合突起１１が挿入されるように構成されることにより、前記パッド部３０が前記本体１０で搖れるとか位置が不安定になることを防止することができる。
【００７３】
本考案の図７に示した係合突起１１及び係合溝３３の構成は理解のために一般的な突起と溝の形態に構成したが、前記係合突起１１及び係合溝３３は前記本体１０とパッド部３０間の有機的な関係を形成するためのものなので、同じ目的のためにいくらでも形状を変形することもできる。
【００７４】
図８は本考案による伴侶動物健康診断キットを備えたスマート排便板の固定バンドを示す図である。
【００７５】
添付図面の図８によれば、本考案のパッド部３０は、前記健康診断キット４０を固定させる固定バンド３１ａをもっと備えることができる。
【００７６】
前記固定バンド３１ａは弾性を有する素材からなることができ、前記固定バンド３１ａの中央部を前記パッド部３０から離隔した状態で前記健康診断キット４０を前記固定バンド３１ａに挿入することにより、前記健康診断キット４０を前記パッド部３０に固定することができる。
【００７７】
このような前記固定バンド３１ａは、例えば前記吸収パッド３２が付着されていない部分にだけ形成されることができ、実施例によって、バンド形態ではなくてポケット形態にいくらでも変形可能である。
【００７８】
以上のような本考案によれば、パッド部の上部に健康診断キットを備えることで、パッド部に流入する流体を介して伴侶動物の健康状態を診断することができ、伴侶動物の排便活動時に上板の重さ変化によって伴侶動物の重さを測定するので、正確な重さを測定することができ、測定された重さによる伴侶動物の肥満度をチェックすることができる効果がある。
【００７９】
以上では本考案の多様な実施例を提示して説明したが、本考案が必ずしもこれに限定されるものではなく、本考案が属する技術分野で通常の知識を有する者であれば本考案の技術的思想を逸脱しない範囲内でさまざまな置換、変形及び変更が可能であることが分かる。
【図１ａ】
0003222249.tif 000003
【図１ｂ】
0003222249.tif 000004
【図２ａ】
0003222249.tif 000005
【図２ｂ】
0003222249.tif 000006
【図３】
0003222249.tif 000007
【図４】
0003222249.tif 000008
【図５ａ】
0003222249.tif 000009
【図５ｂ】
0003222249.tif 000010
【図５ｃ】
0003222249.tif 000011
【図５ｄ】
0003222249.tif 000012
【図６】
0003222249.tif 000013
【図７】
0003222249.tif 000014
【図８】
0003222249.tif 000015